(57)【要約】      （修正有）【課題】日陰による影響を最小限にするように構成されている太陽光パネルを提供する。【解決手段】太陽電池、太陽光パネルおよび／または太陽光アレイといった太陽エネルギを捕捉するのに適合している装置に利用される電気配線の方法および装置が記載されている。太陽光パネル３００は、太陽光パネルの中心部に配置され第１の回路３１０Ａと電気通信している第１の複数の太陽光装置と、第１の複数の太陽光装置を取り囲んでいる第２の複数の太陽光装置とを有しており、第２の複数の太陽光装置は第２の回路３１０Ｂと電気通信しており、第２の回路３１０Ｂは第１の回路３１０Ａとは異なっている。【選択図】図３
2012069949.tif 000002
【特許請求の範囲】
【請求項１】
太陽光パネルであって：
当該太陽光パネルの中心に配置され、第１の回路と電気通信している第１の複数の太陽光装置と；
前記第１の複数の太陽光装置を取り囲む第２の複数の太陽光装置とを具えており、前記第２の複数の太陽光装置は第２の回路と電気通信し、前記第２の回路は前記第１の回路と異なっていることを特徴とする太陽光パネル。
【請求項２】
請求項１に記載の太陽光パネルにおいて、前記第１の回路が、直列回路、並列回路、Ｈブリッジ回路、およびその組み合わせから構成されるグループから選択されることを特徴とする太陽光パネル。
【請求項３】
請求項１に記載の太陽光パネルにおいて、前記第２の回路が、直列回路、並列回路、Ｈブリッジ回路、およびその組み合わせから構成されるグループから選択されることを特徴とする太陽光パネル。
【請求項４】
請求項１に記載の太陽光パネルにおいて、前記第１の回路が直列回路を具え、前記第２の回路が並列回路を具えることを特徴とする太陽光パネル。
【請求項５】
請求項１に記載の太陽光パネルにおいて、前記第１の回路が直列回路を具え、前記第２の回路がＨブリッジ回路を具えることを特徴とする太陽光パネル。
【請求項６】
請求項１に記載の太陽光パネルにおいて、前記第１の回路が並列回路を具え、前記第２の回路がＨブリッジ回路を具えることを特徴とする太陽光パネル。
【請求項７】
請求項１に記載の太陽光パネルにおいて、前記第１の回路が並列回路を具え、前記第２の回路が直列回路を具えることを特徴とする太陽光パネル。
【請求項８】
請求項１に記載の太陽光パネルにおいて、前記第１の回路がＨブリッジ回路を有し、前記第２の回路が直列回路を有することを特徴とする太陽光パネル。
【請求項９】
請求項１に記載の太陽光パネルにおいて、前記第１の回路がＨブリッジ回路を具え、前記第２の回路が並列回路を具えることを特徴とする太陽光パネル。
【請求項１０】
請求項１に記載の太陽光パネルにおいて、前記太陽光パネルが少なくとも２の縁部を具えており、前記少なくとも２の縁部はそれぞれ複数の電池を具え、前記少なくとも２の縁部の少なくとも一方は前記第２の回路に接続されていることを特徴とする太陽光パネル。
【請求項１１】
請求項１に記載の太陽光パネルにおいて、前記太陽光パネルが少なくとも４の縁部を具えており、前記少なくとも４の縁部はそれぞれ複数の電池を具え、前記少なくとも４の縁部の少なくとも２つが前記第２の回路に接続されていることを特徴とする太陽光パネル。
【請求項１２】
請求項１に記載の太陽光パネルにおいて、前記太陽光パネルが少なくとも４の縁部を具えており、前記少なくとも４の縁部はそれぞれ複数の電池を具え、前記４の縁部はそれぞれ前記第２の回路に接続されていることを特徴とする太陽光パネル。
【請求項１３】
太陽光パネルを電気的に接続する方法において：
第１の複数の太陽光装置を具える中心部を有する太陽光パネルに光を露出するステップであって、前記第１の複数の太陽光装置は前記中心部の外側に配置された第２の複数の太陽光装置と少なくとも部分的に隣接しているステップと；
前記第１の複数の太陽光装置を第１の回路と電気的に接続するステップと；
前記第２の複数の太陽光装置を前記第１の回路とは異なる第２の回路と電気的に接続するステップとを含むことを特徴とする方法。
【請求項１４】
請求項１３に記載の方法において、前記第１の複数の太陽光装置の電力生成力が、前記第２の複数の太陽光装置の電力生成力から独立していることを特徴とする方法。
【請求項１５】
請求項１３に記載の方法において、前記第１の回路が、直列回路、並列回路、Ｈブリッジ回路、およびその組み合わせから構成されるグループから選択されることを特徴とする方法。
【請求項１６】
請求項１３に記載の方法において、前記第２の回路が、直列回路、並列回路、Ｈブリッジ回路、およびその組み合わせから構成されるグループから選択されることを特徴とする方法。
【請求項１７】
請求項１３に記載の方法において、前記第１の回路が直列回路を具え、前記第２の回路が並列回路を具えることを特徴とする方法。
【請求項１８】
請求項１３に記載の方法において、前記第１の回路が直列回路を具え、前記第２の回路がＨブリッジ回路を具えることを特徴とする方法。
【請求項１９】
請求項１３に記載の方法において、前記第１の回路が並列回路を具え、前記第２の回路がＨブリッジ回路を具えることを特徴とする方法。
【請求項２０】
太陽光パネルから電力を生成し、負荷装置に伝達する方法において：
第１の複数の太陽光装置を具える中心部を有する太陽光パネルに光を露出するステップであって、前記第１の複数の太陽光装置は前記中心部の外側に配置された第２の複数の太陽光装置と少なくとも部分的に隣接しているステップと；
前記第１の複数の太陽光装置から電気回路を通して前記負荷装置に電力を伝達するステップであって、前記第１の複数の太陽光装置からの電力は前記第２の複数の太陽光装置の電力生成力から独立しているステップとを含むことを特徴とする方法。
【発明の詳細な説明】
【技術分野】
【０００１】
関連出願の相互参照
本出願は、米国特許法１１９条（ｅ）項の下で、２００９年９月２５日出願の仮特許出願第６１／２４５，９０７号の利益を主張するものである。
【０００２】
本発明は一般に、太陽電池、太陽光パネルおよび／または太陽光アレイに関し、より具体的には、太陽電池、太陽光パネルおよび／または太陽光アレイなどの太陽エネルギを捕捉するのに適合している装置の電気配線に関するものである。
【背景技術】
【０００３】
太陽電池、太陽光パネルまたは太陽光アレイなどの太陽光装置は通常、使用するために太陽の見通し線が遮られないように配置される。太陽へのアクセスが遮られないと装置に当たる光の量が最大となり、生成および／または捕捉された得られるエネルギが最大となる。従来、屋根、地面の上または地面近くの比較的平らな表面、および低木がある山腹といった場所が適した立地である。
【０００４】
しかしながら、このように適した場所においても、太陽光装置に太陽光が遮断される偶発的な事例が起こりうる。例えば、雲、植物および他の構造または事象といった物体が、一時的または恒久的に１または複数の装置を遮光することがある。これらの物体によって生じる日陰効果は装置の効率を低下させ、出力が最小となるか完全になくなる場合がある。
【０００５】
太陽電池の性能の自然変動は製造プロセス内に現れる。性能が低い電池がモジュール全体の出力を設定するのを防ぐため、モジュールの製造の際に特定の配線方式が選択されることがある。このような方式は実際にロバストではあるが、同方式がモジュールまたはパネル内の残りの電池によって生成される合計電力を制限してしまうことがある。従って、このモジュールは完全に電力を生成するには最適ではない。
【０００６】
従って、日陰効果を低減させ、太陽光装置の効率を最大限にする太陽光装置用の電気的な接続方式が必要である。本発明は、このような要求に対処する。
【発明の概要】
【０００７】
本書に記載の実施形態は、太陽電池、太陽光パネルおよび／または太陽光アレイといった、太陽エネルギを捕捉するのに適合する装置に用いられる電気配線のための方法および装置を提供している。一実施形態では、太陽光パネルが記載され、太陽光パネルの中心に配置され第１の回路と電気通信している第１の複数の太陽光装置と、第１の複数の太陽光装置を取り囲む第２の複数の太陽光装置とを有しており、第２の複数の太陽光装置は第２の回路と電気通信し、第２の回路は第１の回路とは異なっている。
【０００８】
他の実施形態では、太陽光パネルは、太陽光パネルの中心に配置され直列配線の回路と電気的結合した第１の複数の太陽光装置と、第１の複数の太陽光装置を取り囲む第２の複数の太陽光装置とを有し、第２の複数の太陽光装置は並列配線の回路と電気的結合している。
【０００９】
他の実施形態では、太陽光パネルは、太陽光パネルの中心に配置され直列配線の回路と電気的結合した第１の複数の太陽光装置と、第１の複数の太陽光装置を取り囲む第２の複数の太陽光装置とを有し、第２の複数の太陽光装置はＨブリッジ配線回路と電気的結合している。
【００１０】
他の実施形態では、太陽光パネルは、太陽光パネルの中心に配置され並列配線の回路と電気的結合した第１の複数の太陽光装置と、第１の複数の太陽光装置を取り囲む第２の複数の太陽光装置とを有し、第２の複数の太陽光装置はＨブリッジ配線回路と電気的結合している。
【００１１】
他の実施形態では、太陽光パネルは、太陽光パネルの中心に配置され並列配線の回路と電気的結合した第１の複数の太陽光装置と、第１の複数の太陽光装置を取り囲む第２の複数の太陽光装置とを有し、第２の複数の太陽光装置は直列配線の回路と電気的結合している。
【００１２】
他の実施形態では、太陽光パネルは、太陽光パネルの中心に配置され並列配線の回路と電気的結合した第１の複数の太陽光装置と、第１の複数の太陽光装置を取り囲む第２の複数の太陽光装置とを有し、第２の複数の太陽光装置は直列配線の回路と電気的結合している。
【００１３】
他の実施形態では、太陽光パネルは、太陽光パネルの中心に配置されＨブリッジ配線回路と電気的結合した第１の複数の太陽光装置と、第１の複数の太陽光装置を取り囲む第２の複数の太陽光装置とを有し、第２の複数の太陽光装置は直列配線の回路と電気的結合している。
【００１４】
他の実施形態では、太陽光パネルは、太陽光パネルの中心に配置されＨブリッジ配線回路と電気的結合した第１の複数の太陽光装置と、第１の複数の太陽光装置を取り囲む第２の複数の太陽光装置とを有し、第２の複数の太陽光装置は並列配線の回路と電気的結合している。
【００１５】
他の実施形態では、太陽光パネルを電気的に結合する方法が記載されており、当該方法は、中心部の外側に配置された第２の複数の太陽光装置と少なくとも部分的に隣接する第１の複数の太陽光装置を具える中心部を有する太陽光パネルに光を露出するステップと、第１の複数の太陽光装置を第１の電気回路と電気的に接続するステップと、第２の複数の太陽光装置を第１の電気回路とは異なる第２の電気回路と電気的に接続するステップとを含む。
【００１６】
他の実施形態では、太陽光パネルから負荷装置に電力を伝達する方法が記載されており、中心部の外側に配置された第２の複数の太陽光装置と少なくとも部分的に隣接する第１の複数の太陽光装置を具える中心部を有する太陽光パネルに光を露出するステップと、電気回路を通して第１の複数の太陽光装置から負荷装置へと電力を伝達するステップとを含み、第１の複数の太陽光装置からの電力は第２の複数の太陽光装置の電力生成力から独立している。
【００１７】
幾つかの実施形態では、パネルの回路から日陰の電池を取り除くことによって、残りのパネルは取り除かれた性能が低い電池の出力に制限されない。この分割型パネルは、中央により活動的な配線方式を含み、縁部によりロバストな配線方式を含んでいる。この実施形態は、最適条件では生成しない、中央の日陰ではない電池を含むパネル全体を提供する１つの一様な方式とは異なる。
【図面の簡単な説明】
【００１８】
本発明の上記の特徴を詳しく理解できるようにするため、上記に簡単に要約された本発明のより具体的な記述は、実施形態を参照してその一部が添付の図面に図示されている。しかしながら、添付の図面は本発明の典型的な実施形態のみを図示しており、その範囲を限定すると考えるべきではなく、本発明に対して他の同等の効果がある実施形態を容認しうることに留意されたい。
【図１】図１は、太陽光パネルの一実施形態の概略的な上面図である。
【図２】図２は、太陽光パネルの他の形態の上面図である。
【図３】図３は、不均一な配線方式を有する太陽光パネルの一実施形態の上面図である。
【図４】図４は、不均一な配線方式を有する太陽光パネルの他の実施形態の上面図である。
【００１９】
理解を容易にするため、可能な場合には同一の参照番号が使用され、図面に共通する同一の要素を指定している。一実施形態に開示された要素は、特筆することなく他の実施形態に有用に利用されうると考えられる。
【発明を実施するための形態】
【００２０】
本発明は一般に太陽電池、太陽光パネルおよび／または太陽光アレイに関し、より具体的には、太陽電池、太陽光パネルおよび／または太陽光アレイなどの太陽エネルギを捕捉するよう適合している装置のための電気配線に関するものである。以下の記載は当該技術分野における当業者が本発明を実施および利用できるように表されており、特許出願およびその必要条件に関連して提供されている。好適な実施形態への様々な改変および本書に記載の包括的な原理および特徴は、当業者には容易に明らかとなるであろう。従って、本発明は図示する実施形態に限定することを意図するものではなく、本書に記載の原理および特徴と整合性がある広い範囲を認容するものである。
【００２１】
本発明の実施形態は一般に、太陽電池、太陽光パネルおよび／または太陽光アレイといった太陽エネルギを捕捉するよう適合している装置に利用される電気配線の方法および装置を提供している。本書に記載するような電気配線は、太陽光装置から太陽光を一時的または恒久的に遮断しうる１または複数の物体により生成される日陰効果を最小限にするかなくすように構成されている。
【００２２】
図１は、太陽光パネル１００の一実施形態の概略的な上面図である。太陽光パネル１００は、太陽１１０などの光源から光を受ける複数の電池１０５を具えている。電池１０５はそれぞれ、太陽光を電気に変換するのに適合しているｐ−ｎ接合を有する光起電装置であってもよい。太陽光パネル１００は、例えば、一様な直列の配線方式で負荷装置１１５に相互接続された７２の電池１０５を有し、負荷装置は電化製品、電池またはコンデンサなどのストレージ媒体、または電力網への接続であってもよい。
【００２３】
図１に示す太陽光パネル１００は、１以上の日陰の原因１２０、１２５によって少なくとも部分的に遮られている。日陰の原因１２０、１２５の一方または両方が太陽光パネル１００の性能に負の影響を及ぼし、負荷装置１１５が利用できる電力が減少する。図１では、日陰の原因１２５は固体物質の汚点または領域であり、太陽光パネル１００の表面に付着または支持された有機または無機物質の場合がある。日陰の原因１２５を代表しうる有機または無機物質の例は、土、鳥または動物の糞、葉、大枝、花粉、樹皮、果実、液果等の植物質、さらに他の物質を含む。この日陰の原因１２５は、無作為の間隔で太陽光パネル１００の表面に、および／または太陽光パネル１００の無作為の領域に堆積することがあり、太陽光パネル１００の少なくとも一部を遮るように作用する。日陰の原因１２０は、太陽光パネル１００の近くに植えられている、または生えることができる木または茂みなどの植物である。日陰の原因１２０、１２５は、原因１２０、１２５の下にある、あるいはこれらの原因によって遮られた電池１０５から、光を完全または一部を遮断してしまうことがある。１以上の電池１０５の日陰は、太陽光パネル１００から負荷装置１１５に利用できる正味出力を減少させることで太陽光パネル１００全体の効率を最小化する。
【００２４】
日陰１３５Ａ−１３５Ｃは太陽光パネル１００の表面を横切って移動するため、１日の一部の間に日陰の原因１２０が特定の電池１０５を遮断しうる。対照的に、日陰の原因１２５は、日中時間の全ての間、完全または部分的に特定の電池を遮断しうる。
【００２５】
日陰の原因１２０は、原因１２０が取り除かれるか太陽光パネル１００が移動するまで毎日太陽光パネル１００に影響を及ぼす恒久的な障害物であるとみなすことができる。対照的に、日陰の原因１２５は、天気事象（例えば、風または雨）、日陰の原因の腐敗、または太陽光パネル１００の物理的な清掃によって緩和されうる一時的な障害物とみなすことができる。さらに、日陰の原因１２０、１２５が起こる頻度および／または可能性は異なる。例えば、日陰の原因１２０の発生は実測的方法によって予想することができるが、日陰の原因１２５の発生は時間的に無作為であって、想定された等確率で太陽光パネル１００の任意の領域に影響を及ぼしうる。
【００２６】
太陽光パネル１００は、同様に効率が低下する日陰の原因１２０、１２５によって生成された日陰以外の日陰事象を経験することがある。例えば、他の一時的な障害物は、雲の形成、駐車車両による影、建設活動による影、特に不作為の日陰事象を起こす他の一時的な障害物を含む。恒久的な障害物は、日陰の原因１２０と同様の木または灌木、並びに建物、広告板、標識、または太陽光パネル１００の少なくとも一部を遮る他の構造物といった固定した障害物を含む。
【００２７】
日陰の原因１２５などの日陰の原因が付着した表面または支持する表面を除き、他の一時的な障害物は、地球の軸回転および／または障害物自体の移動が原因で、恒久的な障害物と同様に太陽光パネル１００を遮る。例えば、日陰の原因１２０などの恒久的な障害物は太陽光パネル１００の縁部１３０Ａ上に最初に日陰を形成し、（午後の例では）この日陰はその後、中心部１４０へと太陽光パネル１００を横切って縁部１３０Ｂに移動する。代替的に、日陰の原因１２０などの恒久的な障害物は太陽光パネル１００の縁部１３０Ｂ上に最初に日陰を形成し、（朝の例では）この日陰はその後、中心部１４０へと太陽光パネル１００を横切って縁部１３０Ａに移動する。同様に、雲などの一時的な障害物は、ある縁部上に最初に日陰を形成し、太陽光パネル１００を横切って移動しうる。雲によって形成され影の場合、この日陰はその後、雲の移動および／または地球の回転によって太陽光パネル１００全体に日陰を形成しうる。何れの場合も、最初に遮られた縁部１３０Ａまたは１３０Ｂは、太陽光パネル１００の他の部分に対して長時間にわたり遮られた状態となりうる。
【００２８】
午後時間の一例では、日陰の原因１２０は、太陽光パネル１００の第１の縁部１３０Ａにおいて、またはその近くに第１の日陰１３５Ａを形成する。地球は軸を中心に回転するため、第１の日陰１３５Ａは、太陽光パネル１００の中心部１４０並びに第１の縁部１３０Ａを最終的に遮る第２の日陰１３５Ｂに発達する。地球は回転し続けているため、第２の日陰１３５Ｂは、太陽光パネル１００の第２の縁部１３０Ｂ、さらには中心部１４０および第１の縁部１３０Ａを遮る第３の日陰１３５Ｃに拡大する。図示していないが、雲のような一時的な障害物は、日陰の原因１２０によって起こる日陰と同様の太陽光パネル１００の日陰を生じさせることがある。例えば、雲によってできた日陰は、第１の日陰１３５Ａを形成しながら第１の縁部１３０Ａを遮り、太陽光パネル１００を横切って移動し、第１の日陰１３５Ａを第２および第３の日陰１３５Ｂ、１３５Ｃに拡大しうる。何れの例でも、第１の縁部１３０Ａは、中心部１４０および第２の縁部１３０Ｂと比較して、日陰の原因１２０または雲によって長期間遮られた状態となりうる。
【００２９】
第１の縁部１３０Ａの電池１０５は中心部１４０と比較して長時間日陰となる、および／または太陽光の回避が大きいため、第１の縁部１３０Ａ上の電池１０５はより多くの太陽光を受ける他の電池１０５と比較して低い効率で動作する。電池１０５を負荷装置１１５に接続する均一な配線方式は太陽光パネル１００のそれぞれの電池１０５からの電流および／または電圧を統合し、正味電流および／または電圧を負荷装置１１５に送達する。従って、電池１０５の１以上が遮られて最大効率またはその近傍で動作していない場合、負荷装置１１５に利用できる正味電流および／または電圧は低下する。太陽光パネル１００によって生成される正味電力の低下はたとえ中心部１４０でも起こりうる、および／または第２の縁部１３０Ｂは最大またはほぼ最大量の光を受けることができる。
【００３０】
図２は、図１に記載するような日陰効果が生じうる太陽光パネル２００Ａ、２００Ｂの他の形態の上面図を示している。太陽光パネル２００Ａの電池１０５はそれぞれ、均一な直列−並列配線方式で相互接続されているが、太陽光パネル２００Ｂの電池１０５はそれぞれ、均一な「Ｈブリッジ」配線方式で相互接続されている。これらの太陽光パネル２００Ａ、２００Ｂの何れの場合でも、均一な配線方式のため、本書に記載するような日陰効果が太陽光パネル２００Ａ、２００Ｂの性能に負の影響を及ぼす。
【００３１】
図３は不均一な配線方式を有する太陽光パネル３００の上面図を示しており、太陽光パネル３００の中心部１４０で電池３４０と相互接続している第１の回路３１０Ａと、太陽光パネル３００の縁部１３０Ａ、１３０Ｂに沿って電池３０５Ａ、３０５Ｂと相互接続している複数の第２の回路３１０Ｂとを具えている。この実施形態では、中心部１４０ではなく縁部（この図では縁部１３０Ｂ）に影響を及ぼす日陰３５０Ａ、３５０Ｂが生じる日陰事象の場合に太陽光パネル３００の効率を最大限にすべく、第１の回路３１０Ａおよび第２の回路３１０Ｂがことなっている。
【００３２】
この実施形態では、午後の例では、日陰３５０Ａ、３５０Ｂは左の縁部１３０Ｂから中心部１４０に移動する。この例では、太陽光パネル３００の中心部１４０における電池３０５Ｃと比較して電池３０５Ｂは長期間遮られた状態となるため、電池３０５Ｂの効率は低下する。しかしながら、縁部１３０Ｂに沿った電池３０５Ｂは、中心部１４０の電池３０５Ｃから電気的に分離している。従って、電池３０５Ｂへの太陽光の低下は太陽光パネル３００全体の効率に著しい影響を与えず、図１の太陽光パネル１００および図２の太陽光パネル２００Ａ、２００Ｂの負荷装置１１５に利用可能な正味電流および／または正味電圧と比較して、負荷装置１１５に利用可能な正味電流および／または正味電圧は大きくなる。
【００３３】
この実施形態では、第１の回路３１０Ａは、太陽光パネル３００の中心部１４０において電池３０５Ｃを接続している「Ｈブリッジ」回路として図示されている。代替的に、第１の回路３１０Ａが第２の回路３１０Ｂとは異なっている限り、第１の回路３１０Ａは直列−並列回路、さらには直列回路であってもよい。同様に、第２の回路３１０Ｂは、電池３０５Ａ、３０５Ｂを接続する直列回路として図示されている。代替的に、第２の回路３１０Ｂが第１の回路３１０Ａとは異なっている限り、第２の回路３１０Ｂは並列回路、直列−並列回路および／または「Ｈブリッジ」回路を含みうる。さらに、縁部１３０Ａおよび１３０Ｂは別個の回路３１０Ｂを有するが、縁部１３０Ａ、１３０Ｂの片方のみが回路３１０Ｂを有し、太陽光パネル３００の他方の縁部は第１の回路３１０Ａと同一回路を有してもよい。
【００３４】
図４は不均一な配線方式を有する太陽光パネル４００の他の実施形態の上面図を示しており、太陽光パネル３００の中心部１４０において電池４０５Ｅと相互接続している第１の回路４１０Ａと、太陽光パネル３００の縁部１３０Ａ−１３０Ｄに沿って電池４０５Ａ−４０５Ｄと相互接続している複数の第２の回路４１０Ｂ、４１０Ｃとを具えている。この実施形態では、太陽光パネル４００の中心部１４０ではなく太陽光パネル４００の角部４２０に影響を及ぼす日陰４５０Ａ、４５０Ｂが生じる日陰事象の場合に太陽光パネル４００の効率を最大にすべく、第１の回路４１０Ａおよび第２の回路４１０Ｂ、４１０Ｃは異なっている。
【００３５】
この実施形態では、午後の例では、日陰４５０Ａ、４５０Ｂは角部４２０から中心部１４０へと移動する。この例では、太陽光パネル３００の電池４０５Ｃ−４０５Ｅに対して電池４０５Ｂおよび４０５Ｃは長期間遮られた状態となるため、電池４０５Ｂ、４０５Ｃの効率は低下する。しかしながら、電池４０５Ｃ−４０５Ｅは、角部４２０の電池４０５Ｂ、４０５Ｃからは電気的に分離している。従って、電池４０５Ｂ、４０５Ｃへの太陽光の低下は、太陽光パネル４００全体の効率に著しい影響は与えず、図１の太陽光パネル１００および図２の太陽光パネル２００Ａ、２００Ｂの負荷装置１１５に利用可能な正味電流および／または正味電圧と比較して、負荷装置１１５に利用可能な正味電流および／または正味電圧は大きくなる。
【００３６】
本発明は図示された実施形態に従って記載されているが、当該技術分野における当業者は、実施形態の変形が可能であり、それらの変形は本発明の概念および範囲内に納まるということを容易に認識するであろう。従って、添付の特許請求の範囲の概念および範囲から逸脱することなく多くの改変が当業者によってなされうる。
【図１】
2012069949.tif 000003
【図２】
2012069949.tif 000004
【図３】
2012069949.tif 000005
【図４】
2012069949.tif 000006
【外国語明細書】
2012069949000001.pdf
2012069949000002.pdf
2012069949000003.pdf
2012069949000004.pdf